(57)【要約】【課題】現場での配管施工を大幅に省力化でき、その配管施工時間の短期化および人件費の低減が図れるメーター配管ユニットの結合構造を提供することにある。【解決手段】建物内の流体配管に接続する接続口を有する流入管２０に複数の分岐管２１，２２を設け、該分岐管２１，２２に閉止弁Ｖ１および減圧弁Ｖ２を配設して成る分岐管ユニット２と、分岐管２１，２２に接続する接続口を一端に有し、他端に計量メーター７，８を接続する接続口を有する中継配管３，４と、計量メーター７，８に接続する接続口を一端に有し、他端に建物内の流体配管に接続する接続口を有し、かつ逆流防止弁Ｖ３を配設する逆流防止機能付配管５，６、並びに中継配管３，４および逆流防止機能付配管５，６を積載する積載架台１１，１２により構成するメーター配管ユニットとからなるメーター配管ユニットの結合構造において、前記中継配管３，４を前記分岐管２１，２２と回動自在に接続した。【選択図】        図２
2004244865.tif 000002
【特許請求の範囲】
【請求項１】
建物内の流体配管に接続する接続口を有する流入管に複数の分岐管を設け、該分岐管に閉止弁および減圧弁を配設して構成する分岐管ユニットと、前記分岐管に接続する接続口を一端に有し、他端に計量メーターに接続する接続口を有する中継配管、前記計量メーターに接続する接続口を一端に有し、他端に建物内の流体配管に接続する接続口を有し、かつ逆流防止弁を配設する逆流防止機能付配管、並びに前記中継配管および逆流防止機能付配管を積載する積載架台により構成するメーター配管ユニットとからなるメーター配管ユニットの結合構造において、前記中継配管は、前記分岐管と回動自在に接続することを特徴とするメーター配管ユニットの結合構造。
【請求項２】
逆流防止機能付配管は、建物内の流体配管に接続する接続口を複数有することを特徴とする請求項１記載のメーター配管ユニットの結合構造。
【発明の詳細な説明】
【０００１】
【発明の属する技術分野】
本発明は、例えば集合住宅において、各住戸への給水配管系統に接続する複数の計量メーターを交換可能にユニット化することが可能なメーター配管ユニットの結合構造に関するものである。
【０００２】
【従来の技術】
一般に集合住宅において、各住戸内の給水配管設備は、共用部パイプシャフト内の給水立管から住戸毎にそれぞれ専用給水管を分岐して住戸内の各使用個所まで配管している。そして、各住戸の水道水使用量を水道局が計量するために、共用パイプシャフト内で、各専用給水管に水道局より貸与された水道メーターを設置している。
【０００３】
近年、集合住宅における給水設備では、受水槽より給水ポンプで直接各使用個所へ水を供給するポンプ直送方式や、受水槽を設置せずに、水道本管より引き込んだ水道水を給水ポンプにより直接各使用個所へ供給する水道直結増圧方式が主流となってきている。
【０００４】
上述のポンプ直送方式や水道直結増圧方式の給水設備の場合、供給ゾーン内での使用水量の増減による圧力変動が高置水槽方式に比べて大きく、また、両方式ともポンプからの直送給水のため、ポンプの制御機構が故障した場合、供給圧力が異常に上昇する恐れもある。そこで、給水している衛生器具に影響を与えないため、また、シャワー等での給水圧力変動による温度変化等を解消するために、共用パイプシャフト内の専用給水管に減圧弁を設置して、各住戸内に供給する給水圧力が一定圧力以上にならないようにしている。
【０００５】
集合住宅では、一般に、パイプシャフトを２住戸分で共用し、そのパイプシャフト内に２住戸分の計量メーターおよびメーター廻り配管を設置する場合が多い。この場合のメーター廻りの配管構造を、給水立管分岐管以降から順番に説明すると、以下の通りである。
まず、給水立管より、分岐継手により給水横枝管を分岐する。さらに、給水横枝管を分岐継手により専用給水管２本に分岐する。そして、分岐後の専用給水管には、水道メーター交換時等に給水立管からの給水を遮断する止水弁（閉止弁）と給水圧力を一定圧力以下に保つための減圧弁を配置する。この場合、止水弁および減圧弁は、一定の向き（方向性一定）に固定した取付状態としている。減圧弁は、異物の流入による故障を防止するためのストレーナーを一次側に有しており、その減圧弁の二次側には水道メーターが接続配置される。この水道メーターは、故障時の交換可能な取付構造とするために、その一次側および二次側の端部には、袋ナットによる着脱自在な構造のメータ接続用ソケットが配置される。なお、メータ接続用ソケットは、交換する水道メーターが既存のものと大きさが異なる場合に対応させるために伸縮機能を有している。水道メーターの二次側の専用給水管には、水道メーター交換時に住戸内の専用給水管内滞留水が流出しないように逆流防止弁が設けられている。また、各弁類を接続する部分には、接続用ソケットや短管が随時挿入接続されるようになっている。そして、逆流防止弁以降の専用給水管は、そのまま住戸内まで配管して、住戸内で使用個所数に応じた分岐配管が行われる。また、共用パイプシャフト内に給湯器が設置されている場合、共用パイプシャフト内で、専用給水管から給湯器用の給水管を分岐することが多い。
【０００６】
近年、現場施工の省力化や施工時間の短縮化、これらに伴う人件費の低減、そして、配管長のコンパクト化を図るために、止水弁から逆流防止弁までのメーター廻り配管のユニット化が既に実施され始めており、それなりの効果を上げている。
しかし、この場合のメーター配管ユニットは、１住戸分のユニットであり、さらなる現場作業の省略化、施工時間の短縮化、ローコスト化を進めるには、２住戸分のメーター廻り配管全体をユニット化することが本来最も望ましい。
【０００７】
また中高層建築物の給湯設備には、機械室等に設置した貯湯槽やボイラから給湯水を循環ポンプと循環配管（給湯往管と給湯還管）により建物全館を循環させ、各階の共用パイプシャフト内で分岐して給湯水を使用個所に供給する中央式給湯方式がある。この方式を使用している集合住宅においては、共用パイプシャフト内で給湯立管（往管側）から給湯横枝管を分岐し、さらに各住戸の専用給湯管に分岐して、各専用給湯管に止水弁と減圧弁および給湯使用量計量のための計量メーターを設置している場合がある。
なお、この上記先行技術は当業者一般に知られた技術であって、文献公知発明に係るものではない。
【０００８】
【発明が解決しようとする課題】
近年の集合住宅は、購入者のニーズを満たすために１棟内での住戸分間取りプランの種類が多くなってきている。それに伴い、共用パイプシャフト形状の種類も多くなってきている。その共用パイプシャフトは、点検扉から見て、縦長、横長等の形状があり、また、同じ形状であっても寸法が異なることも多い。また、集合住宅の共用パイプシャフトは、面積が狭く、メーター廻り配管の設置スペースに余裕がない。２住戸分一体のメーター配管ユニットを工場で製作しようとしても、１種類のユニットでは各共用パイプシャフトの形状に対応しきれない。結局、共用パイプシャフトの形状毎に設計しなければならなくなり、従来の施工方法よりも却ってトータルコストがかかってしまうという課題があった。
さらに、中央式給湯設備に使用する集合住宅においても、給水設備の場合と同様の理由による課題があった。
【０００９】
本発明は上記のような課題を解決するためになされたもので、現場での配管施工を大幅に省力化でき、その配管施工時間の短期化および人件費の低減が図れるメーター配管ユニットの結合構造を提供することを目的とする。
【００１０】
また、本発明は、従来の現場での配管施工よりも配管長をコンパクトにすることができ、狭いパイプシャフトスペースにも対応可能なメーター配管ユニットの結合構造を提供することを目的とする。
【００１１】
さらに、本発明は、各住戸への専用給水管の接続方向の自由度が向上し、計量メーター廻り配管の二次側以降で、複数に分岐して給水または給湯する場合でも別途分岐継手を必要としないメーター配管ユニットの結合構造を提供することを目的とする。
【００１２】
【課題を解決するための手段】
本発明に係るメーター配管ユニットの結合構造は、建物内の流体配管に接続する接続口を有する流入管に複数の分岐管を設け、該分岐管に閉止弁および減圧弁を配設して構成する分岐管ユニットと、前記分岐管に接続する接続口を一端に有し、他端に計量メーターに接続する接続口を有する中継配管、前記計量メーターに接続する接続口を一端に有し、他端に建物内の流体配管に接続する接続口を有し、かつ逆流防止弁を配設する逆流防止機能付配管、並びに前記中継配管および逆流防止機能付配管を積載する積載架台により構成するメーター配管ユニットとからなるメーター配管ユニットの結合構造において、前記中継配管を、前記分岐管と回動自在に接続したものである。
【００１３】
本発明に係るメーター配管ユニットの結合構造において、逆流防止機能付配管は、建物内の流体配管に接続する接続口を複数有するものである。
【００１４】
【発明の実施の形態】
以下、本発明の実施の一形態を説明する。
実施の形態１．
図１は本発明の実施の形態１によるメーター配管ユニットの結合構造を示す平面図、図２は図１の一部を断面した側面図、図３は図２の要部拡大断面図、図４図は図１のＡ−Ａ線断面図、図５は計量メーター設置前のメーター配管ユニットの結合構造を示す側面図である。
図において、１はメーター配管ユニットである。このメーター配管ユニット１は、分岐管ユニット２および中継配管３，４ならびに逆流防止機能付配管５，６のそれぞれと、それらを積載する積載架台１１，１２とからなっており、その詳細な構成について以下に説明する。
【００１５】
まず、分岐管ユニット２は、建物内の流体配管（例えば、集合住宅の共用パイプシャフト内に配管された給水立管から分岐した給水横枝管）に接続する接続口２０ａを有する流入管２０と、この流入管２０に一体形成した複数（図では２つ）の分岐管２１，２２と、これらの分岐管２１，２２のそれぞれに配設された閉止弁（止水弁）Ｖ１および減圧弁Ｖ２とから主要部が構成されている。なお、前記流入管２０内には、分岐管２１，２２への異物の流入を阻止して閉止弁Ｖ１や減圧弁Ｖ２の故障を防止するためのストレーナー２３が設けられている。
【００１６】
また、前記分岐管２１，２２において、閉止弁Ｖ１の下流側に減圧弁Ｖ２が配設され、その減圧弁Ｖ２の取付部には、Ｕ字止めピンＰ１を外部から挿入するピン孔２１ａ，２２ａ（図では片方のピン孔２１ａのみを示す）が設けられ、これらのピン孔２１ａ，２２ａから挿脱可能に挿入されたＵ字止めピンＰ１で減圧弁Ｖ２が取り付け固定されており、そのＵ字止めピンＰ１を引き抜くことで減圧弁Ｖ２を取り外すことができるようになっている。したがって、減圧弁Ｖ２のメンテナンスおよび交換を容易に行うことができる。
【００１７】
さらに、前記分岐管２１，２２は、下向きの配管接続口２１ｂ，２２ｂを有しており、これらの配管接続口２１ｂ，２２ｂにエルボからなる前記中継配管３，４の一次側接続口がそれぞれ回動自在に接続されている。さらに詳しく述べると、中継配管３の一次側接続口の外周面には、図３に示すように、シールリング用溝部３１が設けられ、この溝部３１に取り付けたゴム製のシールリング３２によって、中継配管３の一次側接続口と分岐管２１の配管接続口２１ｂとが水密に保たれている。
【００１８】
また、分岐管ユニット２の片方の配管接続口２１ｂにおける中継配管３との接続部にはＵ字止めピンＰ２を外部から挿入するためのピン孔（図示せず）が設けられ、かつ中継配管３の一次側外周面にはＵ字止めピン用溝部３３が設けられており、このＵ字止めピン用溝部３３に前記ピン孔からＵ字止めピンＰ２を打ち込むことにより、中継配管３の脱落防止を図っている。
【００１９】
さらに、前記中継配管３の二次側管端部には、ゴム製のシールリング３４と金属製のリング状ピンＰ３および袋ナットＮ１が設けられ、その袋ナットＮ１によって計量メーター７または代用管９（図５参照）の一次側が前記中継配管３の二次側に着脱自在に接続されるようになっている。
【００２０】
以上は、分岐管ユニット２の一方の配管接続口２１ｂと一方の中継配管３と一方の計量メーター７または代用管９との結合構造であるが、分岐管ユニット２の他方の配管接続口２２ｂと他方の中継配管４と他方の計量メーター８または代用管１０との結合構造も前記一方の結合構造と同様の構造となっているものである。
【００２１】
積載架台１１，１２上において、前記中継配管３，４の二次側接続口との対向離間位置に逆流防止機能付配管５，６が搭載されており、その逆流防止機能付配管５，６の詳細構造について以下に説明する。
それらの逆流防止機能付配管５，６は、代用管９，１０または計量メーター７，８を一端に有し、かつ他端に建物内の流体配管（計量メーター７，８からの給水を住戸内の使用個所まで導く配管）に接続する接続口を有するもので、それぞれの逆流防止機能付配管５，６は同一構造をなしているため、片方の逆流防止機能付配管５の詳細構造についてのみ説明する。
【００２２】
すなわち、逆流防止機能付配管５は、図１〜図４に示すように、計量メーター７の二次側に接続する一次側接続管部５１と、計量メーター７の二次側において住戸内の使用個所までの流体配管を接続するための複数（図では四方）の接続口５２〜５５とを有している。かかる逆流防止機能付配管５の内部において、その一次側接続管部５１には逆流防止弁Ｖ３が配設されており、その逆流防止機能付配管５の一次側接続管部５１には、二次側メータ接続管（直管）１３を介して袋ナットＮ２により、代用管９または計量メーター７の二次側が着脱自在に接続されるようになっている。
【００２３】
ここで、前記二次側メーター接続管１３は、逆流防止機能付配管５の一次側接続口管部５１に対して伸縮移動可能となっており、その伸縮調整によって計量メーター７の大きさに対応した長さに調整できるようになっている。なお、前記二次側メーターー接続管１３は、一次側にゴム製のシールリング１６と金属製のリング状ピンＰ４を有し、かつ二次側にシールリング用溝部１４が設けられ、この溝部１４に取り付けられたシールリング１５を有している。
【００２４】
以上のように構成されたメーター配管ユニット１は、図５に示すように、中継配管３，４の二次側と逆流防止機能付配管５，６の二次側接続管部１３の一次側との間に代用管９，１０を接続した後、中継配管３，４と逆流防止機能付配管５，６および代用管９，１０と積載架台１１，１２との左右の配管ユニットを、前記中継配管３，４の一次側の前記配管接続部２１ｂ，２２ｂとの接続部を中心として回動させることにより、図６に示すように前記左右の配管ユニットを平行方向に折り畳んだ状態で現場に納入される。
【００２５】
現場では、折り畳み状態のメーター配管ユニット１をパイプシャフト内の定められた位置に設置した後、そのメーター配管ユニット１の前記左右の配管ユニットを図５に示すように開いて積載架台１１，１２が床面と固定されている。この状態において、分岐管ユニット２の流入管２０の接続口２０ａが建物内の流体配管に袋ナット（図示せず）で接続されると共に、逆流防止機能付配管５，６の二次側接続口５２〜５５の少なくとも１つの接続口には、住戸内の使用個所に至る配管が接続される。また、二次側接続口５２〜５５のうち、配管を接続しないものに関しては、プラグ等で止水される。そして、水圧テスト、管内のフラッシング（清掃）が完了後、代用管９，１０を取り外して、中継配管３，４の二次側と逆流防止機能付配管５，６の二次側メーター接続管１３の一次側との間に計量メーター７，８が袋ナットＮ１，Ｎ２によって接続され、配管施工が終了する。
【００２６】
以上において、メーター配管ユニット１は、その左右の配管ユニットを図７および図８に示すように平行方向へ折り畳んだ状態でパイプシャフト内の所定位置に据え付け、この状態で計量メーター７，８を接続することも可能である。また、メーター配管ユニット１は、住戸内の使用個所に至る配管状況に応じて前記左右の配管ユニット（計量メーター７，８相互）の開き角度を調整して住戸内の使用個所に至る配管を接続することも可能である。
【００２７】
【発明の効果】
以上のように、本発明によれば、建物内の流体配管に接続する接続口を有する流入管に複数の分岐管を設け、該分岐管に閉止弁および減圧弁を配設して構成する分岐管ユニットと、前記分岐管に接続する接続口を一端に有し、他端に計量メーターに接続する接続口を有する中継配管、前記計量メーターに接続する接続口を一端に有し、他端に建物内の流体配管に接続する接続口を有し、かつ逆流防止弁を配設する逆流防止機能付配管、並びに前記中継配管および逆流防止機能付配管を積載する積載架台により構成するメーター配管ユニットとからなるメーター配管ユニットの結合構造としたので、従来は現場で個々に配管施工しなければならなかった流入管、分岐継手、分岐管、減圧弁、閉止弁等を本発明では一体的にユニット化でき、このため、現場での配管施工を大幅に省力化でき、施工時間の短期化および人件費の低減が図れるという効果がある。また、前記ユニット化により、従来の現場での配管施工よりも配管長をコンパクト化でき、これまでよりも狭いパイプシャフトスペースにも対応可能になるという効果がある。
【００２８】
特に、本発明によれば、分岐管と中継配管とを回動自在に接続するように構成したので、共用パイプシャフトの平面上での各メーター配管ユニット設置位置の自由度が向上するという効果がある。その結果、同じ仕様のメーター配管ユニット結合構造で多種のパイプシャフト形状に対応させることが可能になったという効果がある。このように、多種のパイプシャフト形状に対応できるため、工場で製作するメーター配管ユニット結合構造の仕様の種類を大幅に減少することができ、製作コストの低減を図ることが可能という効果がある。さらには、分岐管と中継配管とが回動自在な接続構造となっていることにより、メーター配管ユニットをコンパクトに折り畳んだ状態で在庫保管および現場への搬入を容易に行うことができるとともに、現場でのメンテナンスも容易になるという効果がある。
【００２９】
また、本発明によれば、逆流防止機能付配管の二次側に複数の流体配管が接続可能な複数の接続口を有する構成としたので、専用給水管の接続方向の自由度が向上するという効果がある。また、逆流防止機能付配管の二次側以降に、複数に分岐して給水する場合でも別途分岐継手を用意する必要がないという効果がある。
【図面の簡単な説明】
【図１】この発明の実施の形態１によるメーター配管ユニットの結合構造を示す平面図である。
【図２】図１の一部を断面した側面図である。
【図３】図２の要部拡大断面図である。
【図４】図１のＡ−Ａ線断面図である。
【図５】計量メーター設置前のメーター配管ユニットを示す側面図である。
【図６】図５のメーター配管ユニットを折り畳んだ状態を示す平面図である。
【図７】計量メーター設置後の図１のメーター配管ユニットを折り畳んだ状態を示す平面図である。
【図８】図７の正面図である。
【符号の説明】
１  メーター配管ユニット
２  分岐管ユニット
３，４  中継配管
５，６  逆流防止機能付配管
７，８  計量メーター
９，１０  代用管
１１，１２  積載架台
１３  二次側メータ接続管
１４  シールリング用溝部
１５，１６  シールリング
２０  流入管
２０ａ  接続口
２１，２２  分岐管
２１ａ，２２ａ  ピン孔
２１ｂ，２２ｂ  配管接続口
２３  ストレーナー
３１  シールリング用溝部
３２  シールリング
３３  Ｕ字止めピン用溝部
３４  シールリング
５１  一次側接続管部
５２〜５５  二次側接続口
Ｎ１，Ｎ２  袋ナット
Ｐ１，Ｐ２  Ｕ字止めピン
Ｐ３，Ｐ４  リング状ピン
Ｖ１  閉止弁
Ｖ２  減圧弁
Ｖ３  逆流防止弁
【図１】
2004244865.tif 000003
【図２】
2004244865.tif 000004
【図３】
2004244865.tif 000005
【図４】
2004244865.tif 000006
【図５】
2004244865.tif 000007
【図６】
2004244865.tif 000008
【図７】
2004244865.tif 000009
【図８】
2004244865.tif 000010